(57)【要約】【課題】    本考案は、使用勝手の良好な釣針投入器を提供する。【解決手段】    釣針投入器１は、船縁２に当接する支持台１０と、この支持台１０を船縁２に保持させる保持手段３と、支持台１０に設けられ、海側へ張り出す張り出し部材１１と、支持台１０に設けられ、前記海側と反対側に位置し、幹糸Ｍ又は幹糸Ｍから分岐する枝糸Ｅを挟持する切り込み部Ｋを並設した弾性部材１２と、複数の針Ｈを張り出し部材１１の先端に係止させると共に、幹糸Ｍ又は幹糸Ｍから分岐する枝糸Ｅを切り込み部Ｋに挟持させて、胴突き仕掛けＤの前記複数の針Ｈを保持するものである。【選択図】図１
0003130544.tif 000002
【実用新案登録請求の範囲】
【請求項１】
船縁に当接する支持台と、
この支持台を前記船縁に保持させる保持手段と、
前記支持台に設けられ、海側へ張り出す張り出し部材と、
前記支持台に設けられ、前記海側と反対側に位置し、幹糸又は前記幹糸から分岐する枝糸を挟持する切り込み部を並設した弾性部材と、
複数の針を前記張り出し部材の先端に係止させると共に、前記幹糸又は前記幹糸から分岐する前記枝糸を前記切り込み部に挟持させて、胴突き仕掛けの前記複数の針を保持するようにすることを特徴とする釣針投入器。
【請求項２】
支持台と張り出し部材は別部材で、
前記支持台の海側に面する側の端面に開口する長手形状の溝部を設け、この溝部に前記張り出し部材の海側に面する側と反対側の端部を挿脱自在となるように構成し、前記溝部に前記張り出し部材の海側に面する側と反対側の端部を押し込んで前記張り出し部材を前記溝部により挟持することを特徴とする請求項１の釣針投入器。
【請求項３】
一端を支持台に、他端を船縁に係止して前記船縁と前記支持台とを跨る線状部材を備え、
保持手段が保持する前記支持台の部位は、平面視、張り出し部材より船縁に沿って突出する突出部であり、
この突出部を除いた全体形状は、平面視、略矩形形状で、該略矩形形状は、反時計回りに第１の辺、第２の辺、第３の辺、第４の辺であり、前記第２の辺は、前記船縁に沿うと共に、海側へ張り出す張り出し部材の先端部であり、前記第１の辺は、前記第３の辺より前記突出部に近い側に位置し、
前記線状部材の前記支持台に係止する前記一端は、前記第２の辺よりは前記第４の辺に近い側で、且つ、前記第１の辺よりは前記第３の辺に近い側であることを特徴とする請求項１又は２の釣針投入器。
【請求項４】
保持手段は、断面コ字形状のフレームと、このフレームの対向する部材の内の下方に位置する一方の部材に回転自在に取り付けられると共に、垂下する位置にある締め付けネジと、この締め付けネジを正逆に回転させる操作レバーとを備え、締め付けネジの先端とフレームの対向する部材の内の上方に位置する他方の部材とで船縁を保持するものであり、
前記締め付けネジ及び前記操作レバーを覆う覆い部材と、
を設けていることを特徴とする請求項１〜３のいずれかの釣針投入器。
【請求項５】
釣針投入器はイカ釣り用で、
針はイカズノの先端に設けられるものであることを特徴とする請求項１〜４のいずれかの釣針投入器。
【考案の詳細な説明】
【技術分野】
【０００１】
本考案は、釣針投入器に係り、特に、使用勝手の良好な釣針投入器に関する。
【背景技術】
【０００２】
釣針投入器、例えば、イカ釣り用の釣針投入器にあっては、細長い基板（１）と、この基板（１）に長手方向に沿って所定の間隔を置いて形成されたイカ釣り用擬似針収容部（２ａ）〜（２ｉ）と、基板（１）の端に形成されたオモリ収容部（３）よりなり、イカ釣り用擬似針収容部（２ａ）〜２（ｉ）の底部に固定されている永久磁石（４ａ）〜（４ｉ）とを備えている（例えば、特許文献１参照）。
永久磁石（４ａ）〜（４ｉ）の磁力を強くすると、風、波に対する保持力は増すが、胴突き仕掛けを海に投入する際、イカ釣り用擬似（１０ａ）〜（１０ｉ）がイカ釣り用擬似針収容部（２ａ）〜（２ｉ）に残存し、逆に、永久磁石（４ａ）〜（４ｉ）の磁力を弱くすると、風、波に対する保持力が低下し、その調節が微妙で、使用勝手が良好でないという問題点があった。
【特許文献１】特開２００３−２８９７７４号公報
【考案の開示】
【考案が解決しようとする課題】
【０００３】
本考案は、前記した問題点を除去するようにした釣針投入器を提供することを目的としている。
【課題を解決するための手段】
【０００４】
前記した目的を達成するための請求項１記載の釣針投入器は、船縁に当接する支持台と、この支持台を前記船縁に保持させる保持手段と、前記支持台に設けられ、海側へ張り出す張り出し部材と、前記支持台に設けられ、前記海側と反対側に位置し、幹糸又は前記幹糸から分岐する枝糸を挟持する切り込み部を並設した弾性部材と、複数の針を前記張り出し部材の先端に係止させると共に、前記幹糸又は前記幹糸から分岐する前記枝糸を前記切り込み部に挟持させて、胴突き仕掛けの前記複数の針を保持するようにするものである。
【０００５】
また、請求項２記載の釣針投入器は、請求項１記載の釣針投入器において、支持台と張り出し部材は別部材で、前記支持台の海側に面する側の端面に開口する長手形状の溝部を設け、この溝部に前記張り出し部材の海側に面する側と反対側の端部を挿脱自在となるように構成し、前記溝部に前記張り出し部材の海側に面する側と反対側の端部を押し込んで前記張り出し部材を前記溝部により挟持するものである。
【０００６】
また、請求項３記載の釣針投入器は、請求項１又は２の釣針投入器において、一端を支持台に、他端を船縁に係止して前記船縁と前記支持台とを跨る線状部材を備え、保持手段が保持する前記支持台の部位は、平面視、張り出し部材より船縁に沿って突出する突出部であり、この突出部を除いた全体形状は、平面視、略矩形形状で、該略矩形形状は、反時計回りに第１の辺、第２の辺、第３の辺、第４の辺であり、前記第２の辺は、前記船縁に沿うと共に、海側へ張り出す張り出し部材の先端部であり、前記第１の辺は、前記第３の辺より前記突出部に近い側に位置し、前記線状部材の前記支持台に係止する前記一端は、前記第２の辺よりは前記第４の辺に近い側で、且つ、前記第１の辺よりは前記第３の辺に近い側である。
【０００７】
また、請求項４記載の釣針投入器は、請求項１〜３のいずれかの釣針投入器において、保持手段は、断面コ字形状のフレームと、このフレームの対向する部材の内の下方に位置する一方の部材に回転自在に取り付けられると共に、垂下する位置にある締め付けネジと、この締め付けネジを正逆に回転させる操作レバーとを備え、締め付けネジの先端とフレームの対向する部材の内の上方に位置する他方の部材とで船縁を保持するものであり、前記締め付けネジ及び前記操作レバーを覆う覆い部材とを設けているものである。
【０００８】
また、請求項５記載の釣針投入器は、請求項１〜４のいずれかの釣針投入器において、釣針投入器はイカ釣り用で、針はイカズノの先端に設けられるものである。
【考案の効果】
【０００９】
請求項１記載の釣針投入器によれば、複数の針を張り出し部材の先端に係止させると共に、幹糸又は前記幹糸から分岐する枝糸を切り込み部に挟持させて、胴突き仕掛けを保持するようにするため、風、波があっても胴突き仕掛けを保持して離脱を防ぎ、しかも、胴突き仕掛けを海に投入する前又は、投入する際、幹糸又は前記幹糸から分岐する枝糸のからみを防止して、胴突き仕掛けを海に投入することができ、使用勝手の良好な釣針投入器を得ることができる。
【００１０】
また、請求項２記載の釣針投入器によれば、前述した請求項１記載の考案の効果に加え、支持台と張り出し部材は別部材で、前記支持台の海側に面する側の端面に開口する長手形状の溝部を設け、この溝部に前記張り出し部材の海側に面する側と反対側の端部を挿脱自在となるように構成し、前記溝部に前記張り出し部材の海側に面する側と反対側の端部を押し込んで前記張り出し部材を前記溝部により挟持するため、胴突き仕掛けの寸法に応じて張り出し部材を簡易に取り替えることができる。
【００１１】
また、請求項３記載の釣針投入器によれば、前述した請求項１又は２の考案の効果に加え、線状部材の支持台に係止する一端は、第２の辺よりは第４の辺に近い側で、且つ、第１の辺よりは第３の辺に近い側で、線状部材の他端は、船縁に係止して前記船縁と前記支持台とを跨るため、胴突き仕掛けを海に投入する際、胴突き仕掛けの幹糸又は前記幹糸から分岐する枝糸が船縁と支持台との隙間に入り込むのを防ぐことができる。
【００１２】
また、請求項４記載の釣針投入器によれば、前述した請求項１〜３のいずれかの考案の効果に加え、保持手段は、断面コ字形状のフレームと、このフレームの対向する部材の内の下方に位置する一方の部材に回転自在に取り付けられると共に、垂下する位置にある締め付けネジと、この締め付けネジを正逆に回転させる操作レバーとを備え、締め付けネジの先端とフレームの対向する部材の内の上方に位置する他方の部材とで船縁を保持するものであり、前記締め付けネジ及び前記操作レバーを覆う覆い部材とを設けているため、胴突き仕掛けの幹糸又は前記幹糸から分岐する枝糸が風等により締め付けネジ又は操作レバーにからみつくのを防ぐことができる。
【考案を実施するための最良の形態】
【００１３】
本考案の一実施例の釣針投入器を図面を参照して説明する。
図１〜図１１において、１は釣針投入器で、釣針投入器１は、例えば、イカ釣り用で（イカ釣り用以外には、金目鯛、あこう、かさご等である。）で、この釣針投入器１は、図１に示すように、船縁２に当接する支持台１０と、この支持台１０を船縁２に保持させる保持手段３（保持手段３は、例えば、クランプ）とを有している。
なお、図１において、４は釣り竿、５は釣り竿４を受ける受け竿、６は道糸である。
【００１４】
また、１１は海側へ張り出す張り出し部材で、張り出し部材１１は支持台１０に設けられている。
複数の針Ｈは張り出し部材１１の先端１１ａに係止させるようにしている。先端１１ａの係止部分は、係止し易いように凹部となっている。なお、針ＨはイカズノＨＯ（イカズノＨＯは、イカ釣り用の疑似餌バリ、イカ釣りに使う和製ルアーである。）の先端に設けられている。
【００１５】
この実施例においては、支持台１０と張り出し部材１１は別部材となっている。そのため、支持台１０の海側に面する側の端面に開口する長手形状の溝部１０ａが設けられ、この溝部１０ａに張り出し部材１１の海側に面する側１１ａと反対側の端部１１ｂを挿脱自在となるように構成し、溝部１０ａに張り出し部材１１の海側に面する側１１ａと反対側の端部１１ｂを押し込んで張り出し部材１１を溝部１１ｂにより挟持するようにしている。
これは、胴突き仕掛けＤの寸法に応じて張り出し部材１１（例えば、奥行き寸法が異なる複数の張り出し部材１１を準備しておいて、その中から、適宜の寸法の張り出し部材１１を選択する。）を簡易に取り替えることができるようにするためである。
なお、胴突き仕掛けＤ[図１０（ｃ）参照］は、船釣りで使われる仕掛けで、最下部にオモリＯをつけ、その上の幹糸Ｍから分岐する枝糸Ｅを出したものであり、また、この実施例においては、支持台１０と張り出し部材１１は別部材となっているが、支持台１０と張り出し部材１１とを一体的に形成しても良い。
【００１６】
また、１２は、胴突き仕掛けＤの 幹糸Ｍ又は幹糸Ｍから分岐する枝糸Ｅを挟持する切り込み部Ｋを並設した弾性部材（例えば、ゴム）で、弾性部材１２は支持台１０に設けられている。この実施例においては、枝糸Ｅが切り込み部Ｋに挟持されている（図１〜図６参照）。
【００１７】
また、図１及び図９に示す５０は、線のような細長い形をした線状部材で、線状部材５０は 一端を支持台１０に、他端を船縁２に係止して船縁２と支持台１０とを跨っている。
なお、保持手段３が保持する支持台１０の部位は、平面視、張り出し部材１１より船縁２に沿って突出する突出部１０ｂ（図３参照）であり、この突出部１０ｂを除いた全体形状は、平面視、図２に示すように、略矩形形状で、該略矩形形状は、反時計回りに第１の辺Ｋ１、第２の辺Ｋ２、第３の辺Ｋ３、第４の辺Ｋ４であり、第２の辺Ｋ２は、船縁２に沿うと共に、海側へ張り出す張り出し部材１１の先端部１１ａであり、第１の辺Ｋ１は、第３の辺Ｋ３より突出部１０ｂに近い側に位置し、線状部材５０の支持台１０に係止する一端は、第２の辺Ｋ２よりは第４の辺Ｋ４に近い側で、且つ、第１の辺Ｋ１よりは第３の辺Ｋ３に近い側となっている。そのため、胴突き仕掛けＤを海に投入する際、胴突き仕掛けＤの幹糸Ｍ又は幹糸Ｍから分岐する枝糸Ｅが船縁２と支持台１０との隙間（例えば、図１に図示のＳである。）に入り込むのを防ぐことができる。
【００１８】
また、保持手段３は、図１に示すように、断面コ字形状のフレーム３１と、このフレーム３１の対向する部材３１ａ、３１ｂの内の下方に位置する一方の部材３１ａに回転自在に取り付けられると共に、垂下する位置にある締め付けネジ３２と、この締め付けネジ３２を正逆に回転させる操作レバーＬとを備え、締め付けネジ３２の先端とフレーム３１の対向する部材３１ａ、３１ｂの内の上方に位置する他方の部材３１ｂとで船縁２を保持するものである。Ｆは、締め付けネジ及３２び操作レバーＬを覆う覆い部材である。この覆い部材Ｆは、胴突き仕掛けＤの幹糸Ｍ又は幹糸Ｍから分岐する枝糸Ｅが風等により締め付けネジ３２又は操作レバーＬにからみつくのを防ぐ役目を有する。
【００１９】
従って、針Ｈを図７及び図８に示すように、張り出し部材１１を係止させると共に、枝糸Ｅを弾性部材１２の切り込み部Ｋに挟持させて胴突き仕掛けＤを保持するようにする（図１参照）。そして、図１０（ａ）に示すように、オモリＯを海に投げ入れれば、切り込み部Ｋに挟持された枝糸Ｅは、オモリＯにより切り込み部Ｋより逐次離脱し、胴突き仕掛けＤが海に投入されることとなる（図１０及び図１１参照）。
即ち、複数の針Ｈを張り出し部材１１の先端１１ａに係止させると共に、幹糸Ｍ又は前記幹糸Ｍから分岐する枝糸Ｅを切り込み部Ｋに挟持させて、胴突き仕掛けＤを保持するようにするため、風、波があっても胴突き仕掛けＤを保持して離脱を防ぎ、しかも、胴突き仕掛けＤを海に投入する前又は、投入する際、幹糸Ｍ又は前記幹糸Ｍから分岐する枝糸Ｅのからみを防止して、胴突き仕掛けＤを海に投入することができ、使用勝手の良好な釣針投入器１を得ることができる。
【図面の簡単な説明】
【００２０】
【図１】図１は、本考案の一実施例の釣針投入器の概略的斜視図である。
【図２】図２は、図１の釣針投入器に胴突き仕掛けが設置される前の状態の概略的平面図である。
【図３】図３は、図２の概略的正面図である。
【図４】図４は、図３の一部を拡大して示す概略的一部拡大正面図である。
【図５】図５は、図４の５−５線による概略的断面図である。
【図６】図６は、図２の６−６線による概略的断面図である。
【図７】図７は、図２の張り出し部材に針を係止する状態の概略的斜視図である。
【図８】図８は、図７の枝糸を弾性部材の切り込み部へ挟持させる状態の概略的斜視図である。
【図９】図９は、線状部材の取り付けの前後を示す概略的断面図である。
【図１０】図１０（ａ）は、オモリＯを海に投入する状態を、図１０（ｂ）（ｃ）は、枝糸が弾性部材の切り込み部から逐次離脱し、海に投入する状態を、それぞれ示している概略的図である。
【図１１】図１１（ａ）は図１０（ａ）に、図１１（ｂ）は図１０（ｂ）に、それぞれ対応する概略的正面図である。
【符号の説明】
【００２１】
１      …………釣針投入器
２      …………船縁
１０    …………支持台
１１    …………張り出し部材
１２    …………弾性部材
Ｋ      …………切り込み部
Ｍ      …………幹糸
Ｅ      …………枝糸
【図１】
0003130544.tif 000003
【図２】
0003130544.tif 000004
【図３】
0003130544.tif 000005
【図４】
0003130544.tif 000006
【図５】
0003130544.tif 000007
【図６】
0003130544.tif 000008
【図７】
0003130544.tif 000009
【図８】
0003130544.tif 000010
【図９】
0003130544.tif 000011
【図１０】
0003130544.tif 000012
【図１１】
0003130544.tif 000013